(57)【要約】【課題】  導光板の大きさに対する設計自由度が高く、光源の長さを短くすることができ、高輝度で発光が均一な面発光装置を提供する。【解決手段】  導光板１の側面に沿って、２本の光源を同一軸線上に縦列的に配置した縦列光源群３１、３２を導光板の面厚さ方向に並列して設け、かつ、縦列光源群３１及び３２相互間で、継ぎ目部４１、４２の軸線方向位置を相違させる。【選択図】      図１
2004241372.tif 000002
【特許請求の範囲】
【請求項１】
矩形である導光板の長辺側側面に沿って線状光源が配置されたサイドライト型の面発光装置であって、
複数の前記線状光源を縦列的に配置した縦列光源群を前記一側面あたり複数群設けており、
前記複数の縦列光源群は前記導光板の面厚さ方向に並列して設けられるとともに、
前記縦列光源群を構成する前記線状光源間の継ぎ目である継ぎ目部の長手方向位置を、前記複数の縦列光源群間で相違させたことを特徴とする面発光装置。
【請求項２】
前記線状光源は、インバータのＧＮＤ端子に接続される電極を有するＧＮＤ側端部とインバータのＨＯＴ端子に接続される電極を有するＨＯＴ側端部とを備えており、前記縦列光源群はそれぞれ２本の前記線状光源より構成されるとともに、前記縦列光源群の前記継ぎ目部には、前記線状光源のＧＮＤ側端部のみを配置し、かつ、この線状光源の当該ＧＮＤ側端部を保持するランプ保持具を設けたことを特徴とする、請求項１に記載の面発光装置。
【請求項３】
前記導光板における少なくとも一の側面において、当該一の側面に沿って設けられた複数の線状光源の有効発光領域が前記長手方向位置に関し重複することにより、当該有効発光領域が前記長手方向で連続的となっていることを特徴とする、請求項１または２に記載の面発光装置。
【発明の詳細な説明】
【技術分野】
【０００１】
本発明は、サイドライト型の面発光装置に関するものである。
【背景技術】
【０００２】
液晶表示装置のバックライト等に用いられる面発光装置は、サイドライト型と直下型に大別される。サイドライト型の面発光装置は、導光板の側面を入光面としており、当該側面に沿って、当該側面の横位置に光源を配置するものであるから、導光板の裏面側の位置に光源を配置する直下型の面発光装置と比較して薄型化、小型化が可能であるため、広く用いられている。
【０００３】
かかるサイドライト型の面発光装置においては、導光板の側面から入光した光が、導光板内で全反射しながら伝播されることにより、光源から遠い位置での面発光を確保している。しかし、光源から遠ざかるほど光源からの光が減衰しやすく、光源から遠い位置で発光量が不足するという問題が生ずる。そこで従来、導光板の一側面あたり複数本の線状光源を配置して、導光板側面からの入光量を増加させることにより、光源から遠い位置で発光量が不足することを防止して発光の均一性を確保するとともに、高輝度化を実現するという構成が知られていた（例えば、特許文献１参照。）。
【０００４】
【特許文献１】特許第３１３０４０２号公報
【発明の開示】
【発明が解決しようとする課題】
【０００５】
線状光源の長さには限界があるため、特に面発光装置が大型化して一辺の長さを長くしようとしても、線状光源の長さに制約され大型化が困難になるという問題があった。また、導光板の一側面あたり複数本の線状光源を配置する場合、当該複数の光源相互間や光源とリフレクタ等の間で漏れ電流が発生するが、長い光源（ランプ）ほど高い電圧をかける必要があるため、漏れ電流はランプの長さが長くなるほど発生し易くなるという問題があった。また、線状光源であるランプの中間位置におけるランプのたわみにより、金属製リフレクタを用いた時に光源付近のリフレクタ部分で電流リークが発生しやすく、ランプが点灯しなかったり、あるいは、寿命劣化や色ずれ等が発生するといった問題があった。さらに、かかるランプのたわみにより、ランプ相互間やランプと導光板側面等の接触によるランプ割れの可能性が高くなるという問題もあった。かかるたわみはランプ長が長いほど生じやすくなってしまう。さらに、ランプが長くなるとインバータの容量を大きくする必要が生ずるが、これによりインバータのコストやインバータのサイズが大きくなるという問題があった。また、ランプが長いほど、ランプの高圧（ＨＯＴ）側と低圧（ＧＮＤ）側で明るさが相違しやすいという問題もあった。
【０００６】
そこで本発明は、導光板の大きさに対する設計自由度が高く、光源の長さを短くすることができ、さらに高輝度で発光が均一な面発光装置の提供を目的としている。
【課題を解決するための手段】
【０００７】
上記課題を解決するための本発明は以下の通りである。即ち、矩形である導光板の長辺側側面に沿って線状光源が配置されたサイドライト型の面発光装置であって、複数の前記線状光源を縦列的に配置した縦列光源群を前記一側面あたり複数群設けており、前記複数の縦列光源群は前記導光板の面厚さ方向に並列して設けられるとともに、前記縦列光源群を構成する前記線状光源間の継ぎ目である継ぎ目部の長手方向位置を、前記複数の縦列光源群間で相違させたことを特徴とする面発光装置である。このようにすると、複数の線状光源を縦列的に配置しているので、導光板の長辺側側面の一辺の長さが長い場合でも、短い線状光源で対応することができる。さらに、前記縦列光源群を構成する２本の線状光源間の継ぎ目である継ぎ目部の長手方向位置を前記複数の縦列光源群間で相違させているので、当該継ぎ目部に存在する未発光部分が、複数の縦列光源群の発光部分相互間で互いに補完され、継ぎ目に存在する未発光部分の影響を少なくすることができる。なお、長手方向とは、線状光源、あるいは縦列光源群の長手方向のことである。
【０００８】
また、前記線状光源は、インバータのＧＮＤ端子に接続される電極を有するＧＮＤ側端部とインバータのＨＯＴ端子に接続される電極を有するＨＯＴ側端部とを備えており、前記縦列光源群はそれぞれ２本の前記線状光源より構成されるとともに、前記縦列光源群の前記継ぎ目部には、前記線状光源のＧＮＤ側端部のみを配置し、かつ、この線状光源の当該ＧＮＤ側端部を保持するランプ保持具を設けた構成とするのが好ましい。このようにすると、線状光源のＧＮＤ（低圧）側同士が近接することになり、線状光源のＧＮＤ（低圧）側とＨＯＴ（高圧）側が近接したり、またはＨＯＴ（高圧）側同士が近接したりすることが無いので、漏れ電流の発生を抑えることができる。また、ランプ保持具により、継ぎ目部における光源の変位を防止することができる。
【０００９】
また、前記導光板における少なくとも一の側面において、当該一の側面に沿って設けられた複数の線状光源の有効発光領域が前記長手方向位置に関し重複することにより、当該有効発光領域が前記長手方向で連続的となっていることを特徴とする面発光装置が好ましい。このようにすると、継ぎ目部に存在する未発光部分及びランプ保持具の影響をより少なくすることができる。
【発明の効果】
【００１０】
本発明によれば、導光板の大きさに対する設計自由度が高く、また、光源の長さを短くすることができ、さらに高輝度で発光が均一な面発光装置を提供することができる。
【発明を実施するための最良の形態】
【００１１】
本発明の実施形態を、図面を参照しつつ説明する。図８は、本発明の第一実施形態である、液晶表示装置用のバックライトとして用いられるサイドライト型の面発光装置の断面図である。長方形の導光板１の長辺側側面１１、１２に沿って、４つの縦列光源群３１乃至３４が設けられている。各縦列光源群は、それぞれ２本の線状光源が同一軸線上に縦列的に配置されて成る。導光板１の側面１１及び１２は入光面となり、縦列光源群３１乃至３４から発せられた光が導光板１内に入光する。この入光した光は、導光板１内で全反射を繰り返しながら導光板１内を伝播し、全反射の臨界角を超えた光は導光板１の上面１３を出光面として出光する。また、導光板１の下面１４は反射シート３に覆われており、導光板１の下面から出た光は反射シート３により反射され導光板１内に戻る。縦列光源群３１乃至３４は、断面コの字型のリフレクタ２、２により覆われており、このリフレクタ２、２により反射された光も側面１１及び１２から導光板１内に入光する。なお、出光面となる導光板の上面１３の上方には光学シート４が使用目的に応じて適宜設けられる。以後、本願において重要な光源、導光板、及びランプ保持具以外は図面の記載及び説明を適宜省略する。
【００１２】
図１は第一実施形態の斜視図、図２は側面図である。長方形の導光板１の長辺側側面１１に沿ってかつこの側面１１に対向した位置に、第一の縦列光源群３１及び第二の縦列光源群３２が設けられている。かかる縦列光源群３１及び３２は、導光板１の面厚さ方向に互いに並列して設けられている。同様に、導光板１の他の長辺側側面１２に沿って第三の縦列光源群３３及び第四の縦列光源群３４が設けられている。従って、本第一実施形態には、合計４つの縦列光源群（８本の線状光源）が設けられている。これら４つの縦列光源群、あるいは８本の線状光源は、その長手方向（線状光源の軸線方向）が、いずれも導光板１の長辺側側面１１、１２に平行となっている。
【００１３】
第一の縦列光源群３１は、第一の線状光源２１と第三の線状光源２３から成る。これらの線状光源２１及び２３は、それぞれの長手方向の中心軸（線状光源の軸線）が同一となるように、同一軸線上に縦列的に配置されている。同様に、第二の縦列光源群３２は、同一軸線上に縦列的に配置された第二の線状光源２２と第四の線状光源２４から成る。図示しないが、第三の縦列光源群３３及び第四の縦列光源群３４も同様にそれぞれ２本の線状光源が縦列的に配置されることにより構成される。第一の線状光源２１と第四の線状光源２４は同一の長さであり、第二の線状光源２２と第三の線状光源２３が同一の長さでかつ前記第一の線状光源２１よりも長くなっている。なお、線状光源としては、冷陰極管が用いられる。また、本第一実施形態では導光板１の長辺側の両側面１１及び１２を入光面としたが、導光板１の任意の一の側面のみを入光面としても良い。
【００１４】
図３は、第一実施形態における導光板及び線状光源のみを示した側面図である。第一の縦列光源群を構成する第一の線状光源２１及び第三の線状光源２３の２本の線状光源は、別個の線状光源であるから、当該光源間には、未発光部分である第一の継ぎ目部４１が存在することが不可避である。かかる継ぎ目部４１は、２つの線状光源２１及び２３の間の隙間及び／又は当該隙間に隣接する各光源の電極部分（図示省略）から構成される。同様に、第二の縦列光源群を構成する第二の線状光源２２及び第四の線状光源２４の２本の線状光源は、別個の線状光源であるから、当該光源間には、未発光部分である第二の継ぎ目部４２が存在する。これらの第一の継ぎ目部４１及び第二の継ぎ目部４２を覆う位置にランプ保持具６が設けられている（図１及び図２参照）。ランプ保持具６には、上記第一乃至第四の４本の線状光源の各一端が挿入されつつ固定される。
【００１５】
線状光源の一端部には、インバータ（図示しない）のＧＮＤ（低圧）端子（図示しない）と配線（図示しない）により接続される電極を有するＧＮＤ側端部があり、線状光源の他端部には、インバータのＨＯＴ（高圧）端子（図示しない）と配線（図示しない）により接続される電極を有するＨＯＴ側端部があるが、図３に示すように、継ぎ目部４１側には、第一の線状光源２１のＧＮＤ側端部２１ａを配置している。従って、第一の線状光源２１のＨＯＴ側端部２１ｂは、第一の縦列光源群３１の端部側に位置することとなる。同様に、第三の線状光源２３のＧＮＤ側端部２３ａも、継ぎ目部４１側に配置されているので、第三の線状光源２３のＨＯＴ側端部２３ｂは、第一の縦列光源群３１の端部側に位置することとなる。さらに、第二の縦列光源群３２においても同様であって、第二の線状光源２２のＧＮＤ側端部２２ａ及び第四の線状光源２４のＧＮＤ側端部２４ａは継ぎ目部４２側に位置しており、第二の線状光源２２のＨＯＴ側端部２２ｂ及び第四の線状光源２４のＨＯＴ側端部２４ｂは、第二の縦列光源群３２の端部側に位置している。
【００１６】
図３に示すように、第一の継ぎ目部４１と第二の継ぎ目部４２は、光源の軸線方向位置が距離Ｗだけ相違している。従って、第一の継ぎ目部４１に存在する未発光部分の影響は、第二の線状光源２２のＧＮＤ側端部２２ａ付近の発光により補完される。また、第二の継ぎ目部４２に存在する未発光部分の影響は、第三の線状光源２３のＧＮＤ側端部２３ａ付近の発光により補完される。したがって、前記継ぎ目部４１及び４２に存在する未発光部分の影響を少なくすることができる。
【００１７】
保持具６は、側面視において略平行四辺形の形状であり（図２参照）、４本の光源２１、２２、２３、２４のＧＮＤ側端部２１ａ、２２ａ、２３ａ、２４ａが挿入されつつ固定されている。保持具６は、光源が挿入される面６５及び６６が継ぎ目部４１，４２（図３参照）の位置に対応して斜めに傾斜しているため、側面視（図２）において平行四辺形となっている。図４が保持具６の斜視図であり、図５は保持具６の断面図である。図４に示すように、ランプ保持具６の一端面には、光源挿入穴上部６２ａと光源挿入穴下部６２ｂとが一部連結した形状の光源挿入穴６２が設けられ、ランプ保持具６の一端面に対向する他端面には、光源挿入穴６２と同形状の光源挿入穴６３が設けられている。光源挿入穴６２の上部６２ａには第三の線状光源２３のＧＮＤ側端部２３ａが挿入されている。光源挿入穴６２の下部６２ｂには第四の線状光源２４のＧＮＤ側端部２４ａが挿入されている。光源挿入穴６３の上部６３ａには第一の線状光源２１のＧＮＤ側端部２１ａが挿入されている。光源挿入穴６３の下部６３ｂには第二の線状光源２２のＧＮＤ側端部２２ａが挿入されている。
光源挿入穴６２及び６３は中央部の一部のみが連結しており、この連結部以外において、光源挿入穴６２及び６３の上下部６２ａ、６２ｂ、６３ａ、６３ｂは各線状光源２１乃至２４の径（ランプ径）とほぼ同一の径の円形穴となっている。従って、光源挿入穴６２に挿入された２本の光源２３、２４は互いの間隔を保持しつつ固定されており、この点は光源挿入穴６３についても同様である。また、ランプ保持具６の光源挿入穴６２、６３の内側からランプ保持具６の外側に貫通する配線用穴６１、６１を通ってインバータ（図示しない）のＧＮＤ側端子に接続されている。各光源のＧＮＤ側端部に接続された配線（図示しない）は、ＧＮＤ側端部２１ａ及び２２ａに接続された配線は連結されて一本の配線となり配線用穴６１から外側に出され、ＧＮＤ側端部２３ａ及び２４ａに接続された配線は連結されて一本の配線となり配線用穴６１から外側に出されてインバータに接続されている。また、図５に示すように、光源挿入穴６２と光源挿入穴６３は連通しておらず、略階段状の仕切り壁６４によって仕切られている。なお、導光板１の他の側面１２にも、導光板１の一の側面１１と同様に４本の線状光源及び保持具６が配置されているが、側面１１の横に配置された４本の線状光源と同一の配置、同一の構造であるので説明を省略する。
【００１８】
図５に示すように、ランプ保持具６において光源２１乃至２４が挿入される面６５及び６６は、当該挿入される光源２１乃至２４の軸線に垂直な線Ｌに対して角度α゜だけ傾斜している。これは、２つの縦列光源群３１及び３２における第一の継ぎ目部４１及び第二の継ぎ目部４２（図３参照）の光源軸線方向位置が互いに相違していることから、かかる相違した継ぎ目部の位置に沿ってランプ保持具６を設けた結果である。このようにすると、２つの縦列光源群３１及び３２における第一の継ぎ目部４１と第二の継ぎ目部４２の光源軸線方向位置の相違距離Ｗと、光源挿入穴上部６２ａ（６３ａ）と光源挿入穴下部６２ｂ（６３ｂ）の光源軸線方向位置の相違距離が一致することになる。このように、複数の縦列光源群３１、３２間において継ぎ目部４１、４２の軸線方向位置を相違させ、かかる複数の継ぎ目部４１、４２の各位置に沿ってランプ保持具６を設けることにより、ランプ保持具６により光源２１乃至２４が覆われる部分を少なくでき、かつ継ぎ目部４１と継ぎ目部４２を相違させたことによる前述の効果、即ち、継ぎ目部４１及び４２に存在する未発光部分の影響を少なくする効果、を維持しつつ、ランプ保持具６を設けることが可能となるので好ましい。
【００１９】
なお、ランプ保持具６の形状は、第一実施形態のように側面視が略平行四辺形となる形状に限定されず、各光源２１乃至２４の端部を保持できればよい。ランプ保持具６は、各光源２１乃至２４の発光部分をできるだけ覆わない方が、光源からの直接光への影響を少なくする点で好ましい。従って、ランプ保持具６により光源２１乃至２４のＧＮＤ側端部２１ａ、２２ａ、２３ａ、２４ａが保持されている部分の光源軸線方向長さは、各光源２１乃至２４の端部を保持できる範囲でできるだけ小さい方が好ましく、例えば一の光源について光源端部の２〜３ｍｍ程度を保持するとしてもよい。また、ランプ保持具６は、本第一実施形態のようにＧＮＤ側端部２１ａ乃至２４ａを保持する保持具として一体構造になっているものに限定されず、例えば２１ａ及び２３ａを保持する一のランプ保持具と、２２ａ及び２４ａを保持する他の一の保持具という２つの保持具としても良い。しかし前記一体構造のほうが、部品点数を減らすことができ、また面厚さ方向の光源間の間隔が保持されやすいので好ましい。
【００２０】
ここで、本発明に使用する光源の長さは特に制約されない。本発明では２本の光源を縦列的に配置した縦列光源群を用いているので、この縦列光源群の長さは、使用する光源の長さの２倍程度とすることができる。したがって、一本の光源の長さの限界値の２倍程度の長さを有する入光面に対応した光源を確保することが可能になる。よって、大型の面発光装置において本発明は好ましく用いられ、より好ましいのは、使用する光源の長さを３００ｍｍ以上とすると、この光源の長さの２倍程度の長辺の長さを有する大型の面発光装置とすることができる。なお、現在作製可能な線状光源の長さの上限は８５０ｍｍ程度である。したがって、導光板の長辺の長手方向長さが５５０ｍｍ以上が好ましく、導光板の長辺の長さの上限としては、使用される線状光源の長さの２倍の長さの９５％程度の長さである。
【００２１】
また、第一実施形態では、第一の線状光源２１と第四の線状光源２４が同一の長さであり、第二の線状光源２２と第三の線状光源２３が同一の長さでかつ前記第一の線状光源２１よりも長くなっている。したがって、本第一実施形態形態では２種類の長さの線状光源が、各長さ４本ずつ合計８本使用されている。このように、使用する光源の長さの種類を複数としてもよく、一種類としてもよい。使用する光源の長さを一種類とする場合には、縦列光源群両端の光源軸線方向位置が、縦列光源群相互間で異なることとなるが、縦列光源群相互で当該縦列光源群両端の発光を補完することになるので、発光品位は維持される。ただし好ましくは、第一実施形態のように、２つの縦列光源群を面厚み方向に並列して設けた場合には、光源の長さを２種類とするのがよい。このようにすると縦列光源群の長さを揃えることができ、かつその両端の光源軸線方向位置を揃えることができるので、面発光の均一性と高輝度を確保するのに有利となる。同様の理由で、３つの縦列光源群を面厚み方向に並列して設けた場合には光源の長さを３種類とし、一般的に縦列光源群を面厚み方向に並列させた数に等しい種類の光源長さとすることが好ましい。
【００２２】
ランプ保持具６の材料としては、無色透明又は反射率の良い白色の材料が好ましい。具体的には、無色透明の材料としてはシリコンゴムやポリカーボネート等が挙げられ、反射率の良い白色の樹脂としては、ポリカーボネートやアクリル樹脂等が挙げられる。また、ランプ保持具６がポリカーボネート樹脂などの比較的硬い材料である場合には、導光板を傷つける恐れがあるので、導光板に接しないようにするのが好ましい。また、ランプ保持具６は光源の端部である電極付近を覆うことになるので、耐熱性に優れた材料が好ましく、ポリカーボネート等を例示することができる。さらに、ランプ保持具６に使用する材料は、光源に近接した位置に使用するので、光源からの紫外線や熱による黄変や劣化に対して耐性を有する材料であることが好ましい。
【００２３】
第一実施形態は以上のような構成としたので、以下のような効果を奏する。
（１）２本の線状光源が同一の軸線上に縦列的に配置された縦列光源群を構成し、更に、複数の縦列光源群が面厚さ方向に並列して配置されているので、複数の光源を省スペース的に配置でき、しかも発光面に達する光のロスを少なくすることができる。従って高輝度の面発光装置が得られる。
（２）従来１本の線状光源であった部分を、２本の縦列光源群により構成したので、個々の光源の長さを短くすることができる。したがって、同一の長さの光源を用いてより長い長辺の入光面をカバーすることのできる光源を構成することができる。
（３）２本の線状光源を縦列的に配置した縦列光源群を設けたので、光源の長さに限界がある場合でも、より大型の面発光装置とすることができる。導光板の長辺の長さを、光源の長さの２倍程度にまで長くすることができ、大型の面発光装置を作製することができる。また、大型の導光板１の長辺の長さに対応した光源を確保することができる。従って例えば画面の大きさが３０インチ以上、さらには４０インチ以上の面発光装置を作製できる。
（４）光源の長さを短くできるので、光源への電気的負荷を少なくすることができ、発光効率が改善される。また、発光量を確保しつつ電圧を低く抑えることができるので、漏れ電流も小さくすることができる。
（５）光源の長さを短くできるので、光源中央部付近のたわみが少なくなる。たわみが少なくなると、設計値通りの発光効率、発光品位が達成でき、また衝撃等により光源同士あるいは光源と導光板、光源とランプホルダーとの干渉、衝突の可能性が減少し、光源の割れ（ランプ割れ）が減少する。
（６）光源の長さを短くできるので、光源のＧＮＤ側端部とＨＯＴ側の輝度の差を少なくすることができ、発光の均一性が向上する。
（７）光源のたわみが少ないため、ランプリフレクター等光源に隣接した部材に金属を使用した場合の漏れ電流を少なくすることができ、ランプ管の輝度の偏りが減少するとともに、寿命への悪影響が減少する。
（８）光源を短くできるので、インバータの容量を小さくでき、インバータを小型化できる。さらにインバータの発熱も改善される。また、インバータを分散配置することが可能になるので、発熱部分を分散することができる。
（９）導光板の長辺側に光源を配置しているので、導光板の短辺側に光源を配置した場合と比較して、導光板を伝播する光の伝播距離を少なくすることができ、導光板上で光源から遠い部分を減少させることができる。従って、高輝度及び均一発光の点において効果がある。
（１０）線状光源のＧＮＤ側端部同士を近接させており、線状光源のＧＮＤ側端部とＨＯＴ側、又はＨＯＴ側同士が近接することが無いため、漏れ電流の発生を抑えることができる。
（１１）ランプ保持具により、継ぎ目部側の端部における光源の変位を防止することができる。
（１２）複数の継ぎ目部の光源軸線方向位置を相違させているので、継ぎ目部発現する未発光部分の影響を抑制し、発光の均一性を向上させることができる。
（１３）ランプ保持具が、光源の継ぎ目部の光源軸線方向各位置に沿って設けられているので、ランプ保持具による発光への影響を抑え、発光の均一性を向上させることができる。
【００２４】
図６は、本発明の第二実施形態を示す概略側面図である。基本的構成は前記第一実施形態と同一であるので説明を省略し、第一実施形態との相違点について説明する。図６に示すように、第二実施形態では、導光板１の一の長辺側側面１１に対向して６本の線状光源５１乃至５６及びランプ保持具７を設けている。第一の線状光源５１と第六の線状光源５６が同一であり、第二の線状光源５２と第五の線状光源５５が同一であり、第三の線状光源５３は第四の線状光源５４と同一である。また、図示しないが、他の長辺側側面１２の横にも６本の線状光源を設けており、合計１２本でかつ三種類の線状光源を備えるものである。他の側面１２における６本の光源及びランプ保持具の構成、配置は一の側面１１におけるものと全く同一であり、他の一の側面１２にも、一の側面１１に対向して設けた線状光源５１乃至５６と同一の線状光源を用い、さらにランプ保持具７と同一のランプ保持具８を用いている。従って、他の側面１２における（側面１２側から見た場合の）側面図は、一の側面１１における（側面１１側から見た場合の）側面図である図６と全く同一となる。このようにすると、部品を共通化することができ、更に、ランプ保持具７とランプ保持具８は互いに逆向きに傾斜することになるので（図６参照）、ランプ保持具７に遮光される領域と、ランプ保持具８に遮光される領域が互いに補完しあうことにより、発光の均一性に役立つので好ましい。
【００２５】
線状光源５１と線状光源５４が第一の縦列光源群３５を構成し、線状光源５２と線状光源５５が第二の縦列光源群３６を構成し、線状光源５３と線状光源５６が第三の縦列光源群３７を構成し、これら３つの縦列光源群が導光板の面厚さ方向に並列して設けられている。図示しないが、第一の縦列光源群３５は第一の継ぎ目部を有し、第二の縦列光源群３６は第一の継ぎ目部を有し、第三の縦列光源群３７は第一の継ぎ目部を有している。ランプ保持具７は、これら第一乃至第三の継ぎ目部を覆っている。
【００２６】
ここで、図６に示す導光板１の側面１１からの側面視において、全ての光源５１乃至５６における発光部分であってかつランプ保持具７で覆われた部分を除く領域（有効発光領域）を示したのが図７である。図７に示すように、光源５３の有効発光領域である５３ｔにおいて最もランプ保持具７に近い（図７において左端の）光源軸線方向位置の５３Ｌは、光源５４の有効発光領域である５４ｔにおいて最もランプ保持具７に近い（図７において右端の）光源軸線方向（ランプの長手方向）位置の５４Ｒよりも図７において左側に位置している。従って、ランプ保持具７の両側の近隣位置において、側面１１における有効発光領域は、導光板１の一の側面１１において、光源軸線方向位置に関し重複部分（オーバーラップ部分）を有している。このように、側面１１における有効発光領域は、光源の軸線方向に関して、ランプ保持具で覆われた領域７１で途切れることなく、光源の軸線方向に連続的となっている。このようにすると、一の縦列光源群の継ぎ目部に存在する未発光部分の影響、及び、ランプ保持具７が発光部を覆うことによる遮光等の影響が、他の縦列光源群の発光により極めて効果的に補完されるので、発光の均一性をさらに向上させることができる。
なお、本発明は液晶表示装置用のバックライトとして用いられる面発光装置に限定されるものではなく、看板や、液晶モジュールや写真のネガ等を見るためのライトボックス等に用いられる面発光装置にも適用されるのはいうまでもない。
【図面の簡単な説明】
【００２７】
【図１】本発明の第一実施形態の斜視図である。
【図２】本発明の第一実施形態の側面図である。
【図３】本発明の第一実施形態における導光板及び線状光源のみを示した側面図である。
【図４】本発明の第一実施形態におけるランプ保持具の斜視図である。
【図５】本発明の第一実施形態におけるランプ保持具の断面図である。
【図６】本発明の第二実施形態の側面図である。
【図７】本発明の第二実施形態における有効発光領域を示した図である。
【図８】本発明の第一実施形態であるサイドライト型面発光装置の断面図である。
【符号の説明】
【００２８】
１  導光板
１１  一の長辺側側面
１２  他の長辺側側面
２１  第一の線状光源
２１ａ  ＧＮＤ側端部
２１ｂ  ＨＯＴ側端部
２２  第二の線状光源
２２ａ  ＧＮＤ側端部
２２ｂ  ＨＯＴ側端部
２３  第三の線状光源
２３ａ  ＧＮＤ側端部
２３ｂ  ＨＯＴ側端部
２４  第四の線状光源
２４ａ  ＧＮＤ側端部
２４ｂ  ＨＯＴ側端部
３１  第一の縦列光源群
３２  第二の縦列光源群
３５  第一の縦列光源群
３６  第二の縦列光源群
３７  第三の縦列光源群
４１  第一の継ぎ目部
４２  第二の継ぎ目部
４５  第一の継ぎ目部
４６  第二の継ぎ目部
４７  第三の継ぎ目部
６  ランプ保持具
６１  配線用穴
６２  一端面の光源挿入穴
６２ａ  光源挿入穴上部
６２ｂ  光源挿入穴下部
６３  他端面の光源挿入穴
６３ａ  光源挿入穴上部
６３ｂ  光源挿入穴下部    
６４  仕切り壁
Ｌ  光源の軸線に垂直な線
Ｗ  継ぎ目部の光源軸線方向相違距離
７  ランプ保持具
８  ランプ保持具
【図１】
2004241372.tif 000003
【図２】
2004241372.tif 000004
【図３】
2004241372.tif 000005
【図４】
2004241372.tif 000006
【図５】
2004241372.tif 000007
【図６】
2004241372.tif 000008
【図７】
2004241372.tif 000009
【図８】
2004241372.tif 000010